(57)【要約】【課題】主にカメラや携帯電話等に用いられるレンズアクチュエータに関し、確実で安定した動作が可能なものを提供することを目的とする。【解決手段】キャリア１外方に配置された移動用コイル２６と移動用磁石２７を、上下方向に対向形成することによって、キャリア１外方の移動用磁石２７の磁界が上下方向に形成されているため、この磁力の影響を内方の駆動用コイル２や駆動用磁石４が受けることを防ぎ、中空部にレンズが装着されたキャリア１の、確実で安定した動作を行うことが可能なレンズアクチュエータを得ることができる。【選択図】図１
2011141517.tif 000002
【特許請求の範囲】
【請求項１】
上下動可能で中空部にレンズが装着される略円筒状のキャリアと、このキャリアに一方が装着され、他方がこれに対向配置された駆動用コイル及び駆動用磁石と、上記キャリア外方に配置された移動用コイル及び移動用磁石からなり、上記移動用コイルと移動用磁石を上下方向に対向形成したレンズアクチュエータ。
【請求項２】
移動用磁石に所定の間隙を空けて、移動用ヨークを対向配置した請求項１記載のレンズアクチュエータ。
【発明の詳細な説明】
【技術分野】
【０００１】
本発明は、主にカメラや携帯電話等に用いられるレンズアクチュエータに関するものである。
【背景技術】
【０００２】
近年、カメラや携帯電話等において、レンズアクチュエータを用いて、レンズのオートフォーカス動作や手振れ補正等を行うものが増えており、使い易く、確実な動作を行えるものが求められている。
【０００３】
このような従来のレンズアクチュエータについて、図８〜図１１を用いて説明する。
【０００４】
図８は従来のレンズアクチュエータの断面図、図９は同分解斜視図であり、同図において、１は略円筒状で絶縁樹脂製のキャリア、２は銅合金線が略円環状に巻回された駆動用コイル、３は略箱型で中央に円形の通孔が形成された鉄等の駆動用ヨークで、キャリア１外周に駆動用コイル２が巻回固着されると共に、このキャリア１が駆動用ヨーク３内に上下動可能に収納されている。
【０００５】
また、４は略円弧状の駆動用磁石、５は絶縁樹脂製のスペーサで、複数の駆動用磁石４が駆動用ヨーク３の内側壁に装着され、駆動用コイル２と所定の間隙を空けて対向配置されると共に、スペーサ５が駆動用ヨーク３の外周下面を覆っている。
【０００６】
そして、６は金属薄板製の上ばね、７は同じく下ばね、８は絶縁樹脂製のケースで、上ばね６がやや撓んだ状態で駆動用ヨーク３上面に、下ばね７がケース８上面に各々固着されると共に、この上ばね６と下ばね７がキャリア１の上下面に弾接し、キャリア１が上下方向の所定位置に保持されて、駆動手段１０が形成されている。
【０００７】
さらに、１１は絶縁樹脂製の基台、１２は同じくスライダで、円柱状の支持ピン１３Ａがスライダ１２の支持孔１２Ａに挿入されると共に、支持ピン１３Ａ両端が基台１１の保持部１１Ａに係止されて、スライダ１２が基台１１上に前後方向に移動可能に載置されている。
【０００８】
また、支持ピン１３Ｂが駆動手段１０のケース８の支持孔（図示せず）に挿入されると共に、この両端がスライダ１２の保持部１２Ｂに係止されて、駆動手段１０がスライダ１２上に左右方向に移動可能に載置されている。
【０００９】
つまり、駆動手段１０が基台１１に対して、スライダ１２を介して前後方向及び左右方向に移動可能なようにして、基台１１上に載置されている。
【００１０】
そして、１４は銅合金線が略額縁状に巻回された移動用コイル、１５は略矩形状の移動用磁石、１６は略箱型で中央に円形の通孔が形成された金属板製のカバーで、複数の移動用コイル１４が駆動手段１０の駆動用ヨーク３の前後左右側面に固着されると共に、複数の移動用磁石１５がカバー１６の内側壁に固着され、複数の移動用コイル１４と所定の間隙を空けて対向配置されている。
【００１１】
また、この複数の移動用磁石１５は、図１０の部分斜視図に示すように、前後または左右方向にＮ極とＳ極が並列に形成されて、対向する移動用コイル１４には移動用磁石１５から、上下方向とは直交する内方への磁界Ｂ１が形成されている。
【００１２】
さらに、これらの基台１１やスライダ１２、複数の移動用コイル１４や移動用磁石１５によって、図１１の部分斜視図に示すような移動手段１８が形成されると共に、この移動手段１８や駆動手段１０をカバー１６が覆って、レンズアクチュエータが構成されている。
【００１３】
そして、このように構成されたレンズアクチュエータが、キャリア１の中空部にレンズ（図示せず）が固着され、背面に撮像素子が配置されて、カメラや携帯電話等の電子機器に装着されると共に、駆動用コイル２と移動用コイル１４がリード線やコネクタ（図示せず）等を介して、機器の電子回路（図示せず）に接続される。
【００１４】
以上の構成において、例えばカメラのシャッター用の押釦（図示せず）を軽く押圧操作すると、電子回路から電圧が印加されて駆動用コイル２に電流が流れ、駆動用磁石４と駆動用ヨーク３によって周囲に外方または内方への方向の磁界が形成されている駆動用コイル２には、これと直交する上下方向の力がはたらくため、駆動用コイル２及びこれが巻回固着されたキャリア１が上または下方向へ移動して、オートフォーカス動作が行われ、キャリア１の中空部に装着されたレンズの焦点が調整される。
【００１５】
なお、駆動用コイル２への電流が遮断された場合には、上下面に弾接した上ばね６や下ばね７の付勢力によってキャリア１が押圧されて移動し、所定位置に戻って保持される。
【００１６】
また、シャッター用の押釦をさらに押圧操作して撮影を行った際に、手振れが生じた場合には、これを別途設けたセンサ（図示せず）等によって機器の電子回路が検出し、電子回路から電圧が印加されて移動用コイル１４に電流が流れ、移動用コイル１４に前後または左右方向の力がはたらいて、移動用コイル１４及びこれが固着された駆動手段１０の駆動用ヨーク３が、前後または左右方向のぶれた方向へ移動して、手振れ補正が行われる。
【００１７】
なお、この時、図１０に示すように、移動用磁石１５によって周囲に内方への磁界Ｂ１が形成されている移動用コイル１４に、時計方向の電流Ｉ１が流れた場合には、移動用コイル１４に前方向の力Ｆ１がはたらいて駆動手段１０が前方向へ移動し、反時計方向の電流Ｉ２が流れた場合には、力Ｆ２がはたらいて駆動手段１０は後方向へ移動する。
【００１８】
つまり、図１１において、移動用コイル１４Ａや１４Ｂに電流が流れた場合には、スライダ１２に載置された駆動手段１０は前後方向へ移動し、移動用コイル１４Ｃや１４Ｄに電流が流れた場合には、駆動手段１０は左右方向へ移動する。
【００１９】
すなわち、駆動用磁石４に対向した駆動用コイル２に電流を流してキャリア１を上下方向へ移動し、この中空部に装着されたレンズを上下動させてオートフォーカス動作を行うと共に、移動用磁石１５に対向した移動用コイル１４に電流を流し、駆動手段１０の駆動用ヨーク３を前後または左右方向へ移動して、手振れ補正を行うように構成されているものであった。
【００２０】
なお、この出願の発明に関連する先行技術文献情報としては、例えば、特許文献１が知られている。
【先行技術文献】
【特許文献】
【００２１】
【特許文献１】特開２００８−３２７６８号公報
【発明の概要】
【発明が解決しようとする課題】
【００２２】
しかしながら、上記従来のレンズアクチュエータにおいては、キャリア１外方に配置された複数の移動用磁石１５の磁力が内方、つまり駆動用コイル２や駆動用磁石４が収納された駆動用ヨーク３の方向に向いた磁界Ｂ１となっているため、特に移動用磁石１５の磁力が強いものであった場合、この移動用磁石１５によって駆動用コイル２や駆動用磁石４が影響を受け、キャリア１の上下動が不確実なものになってしまう場合があるという課題があった。
【００２３】
本発明は、このような従来の課題を解決するものであり、確実で安定した動作が可能なレンズアクチュエータを提供することを目的とする。
【課題を解決するための手段】
【００２４】
上記目的を達成するために本発明は、以下の構成を有するものである。
【００２５】
本発明の請求項１に記載の発明は、キャリア外方に配置された移動用コイルと移動用磁石を、上下方向に対向形成してレンズアクチュエータを構成したものであり、キャリア外方の移動用磁石の磁界が上下方向に形成されているため、この磁力の影響を内方の駆動用コイルや駆動用磁石が受けることを防ぎ、中空部にレンズが装着されたキャリアの、確実で安定した動作を行うことが可能なレンズアクチュエータを得ることができるという作用を有する。
【００２６】
請求項２に記載の発明は、請求項１記載の発明において、移動用磁石に所定の間隙を空けて、移動用ヨークを対向配置したものであり、移動用磁石と移動用ヨーク間の吸引力によって、ケースや基台等の間のがたつきがなくなるため、キャリアの前後左右方向への移動を確実に行うことができるという作用を有する。
【発明の効果】
【００２７】
以上のように本発明によれば、確実で安定した動作が可能なレンズアクチュエータを実現することができるという有利な効果が得られる。
【図面の簡単な説明】
【００２８】
【図１】本発明の第１の実施の形態によるレンズアクチュエータの断面図
【図２】同分解斜視図
【図３】同部分斜視図
【図４】同部分斜視図
【図５】同他の実施の形態による分解斜視図
【図６】本発明の第２の実施の形態によるレンズアクチュエータの断面図
【図７】同分解斜視図
【図８】従来のレンズアクチュエータの断面図
【図９】同分解斜視図
【図１０】同部分斜視図
【図１１】同部分斜視図
【発明を実施するための形態】
【００２９】
以下、本発明の実施の形態について、図１〜図７を用いて説明する。
【００３０】
なお、背景技術の項で説明した構成と同一構成の部分には同一符号を付して、詳細な説明を簡略化する。
【００３１】
（実施の形態１）
実施の形態１を用いて、本発明の特に請求項１記載の発明について説明する。
【００３２】
図１は本発明の第１の実施の形態によるレンズアクチュエータの断面図、図２は同分解斜視図であり、同図において、１は略円筒状でガラス入りポリカーボネート等の絶縁樹脂製のキャリア、２は絶縁樹脂で被覆された銅合金線が略円環状に巻回された駆動用コイル、２３は略箱型で中央に円形の通孔が形成された鉄等の駆動用ヨークで、キャリア１外周に駆動用コイル２が接着剤等によって巻回固着されると共に、このキャリア１が駆動用ヨーク２３内に上下動可能に収納されている。
【００３３】
また、４は略円弧状でネオジム系等の駆動用磁石、５はポリフタルアミド等の絶縁樹脂製のスペーサで、複数の、例えば四つの駆動用磁石４が駆動用ヨーク２３の内側壁に装着され、駆動用コイル２と所定の間隙を空けて対向配置されると共に、スペーサ５が駆動用ヨーク２３の外周下面を覆っている。
【００３４】
なお、この四つの駆動用磁石４は内周側と外周側が異なる磁極、例えば内周側がＮ極で外周側がＳ極となっており、駆動用コイル２の巻回方向に対して直交する、外方または内方への磁界が形成されている。
【００３５】
そして、６は鋼や銅合金等の金属薄板製の上ばね、７は同じく下ばね、２４はポリフタルアミド等の絶縁樹脂製のケースで、上ばね６がやや撓んだ状態で駆動用ヨーク２３上面に、下ばね７がケース２４上面に各々固着されると共に、この上ばね６と下ばね７がキャリア１の上下面に弾接し、キャリア１が上下方向の所定位置に保持されて、駆動手段２０が形成されている。
【００３６】
さらに、２５は絶縁樹脂製の基台、１３は円柱状の支持ピンで、支持ピン１３がケース２４の左右方向に長孔となった支持孔２４Ａに挿入されると共に、支持ピン１３両端が基台２５の保持部２５Ａに係止され、駆動手段２０が基台２５に対して、前後方向及び左右方向に移動可能なようにして、基台２５上に載置されている。
【００３７】
そして、２６は絶縁樹脂で被覆された銅合金線が略楕円筒状に巻回された移動用コイル、２７は略角柱状でネオジム系等の移動用磁石で、複数の移動用磁石２７がキャリア１外方の、前方及び右方の基台２５上面に固着されると共に、複数の移動用コイル２６が駆動用ヨーク２３外周下面に固着され、この二つずつの移動用コイル２６と移動用磁石２７が、上下方向に所定の間隙を空けて対向配置されている。
【００３８】
また、この移動用磁石２７は、図３の部分斜視図に示すように、前後または左右方向の上下面にＮ極とＳ極が並列に形成され、対向する移動用コイル２６には移動用磁石２７から、上または下方向への磁界Ｂ２が形成されている。
【００３９】
つまり、キャリア１外方に配置された移動用磁石２７の磁界Ｂ２が、駆動用コイル２や駆動用磁石４が収納された駆動用ヨーク２３の方向である内方ではなく、上下方向に形成されているため、移動用磁石２７が多少磁力の強いものであった場合でも、この磁力によって内方の駆動用コイル２や駆動用磁石４が影響を受けることのないようになっている。
【００４０】
さらに、１６は略箱型で中央に円形の通孔が形成されたニッケルめっき鋼板等の金属板製のカバーで、基台２５やケース２４、複数の移動用コイル２６や移動用磁石２７等によって、図４の部分斜視図に示すような移動手段３０が形成されると共に、この移動手段３０や駆動手段２０をカバー１６が覆って、レンズアクチュエータが構成されている。
【００４１】
そして、このように構成されたレンズアクチュエータが、キャリア１の中空部にレンズ（図示せず）が固着され、背面に撮像素子が配置されて、カメラや携帯電話等の電子機器に装着されると共に、駆動用コイル２と移動用コイル２６がリード線やコネクタ（図示せず）等を介して、機器の電子回路（図示せず）に接続される。
【００４２】
以上の構成において、例えばカメラのシャッター用の押釦（図示せず）を軽く押圧操作すると、電子回路から電圧が印加されて駆動用コイル２に電流が流れ、駆動用磁石４と駆動用ヨーク２３によって周囲に外方または内方への方向の磁界が形成されている駆動用コイル２には、これと直交する上下方向の力がはたらくため、駆動用コイル２及びこれが巻回固着されたキャリア１が上または下方向へ移動して、オートフォーカス動作が行われ、キャリア１の中空部に装着されたレンズの焦点が調整される。
【００４３】
なお、駆動用コイル２への電流が遮断された場合には、上下面に弾接した上ばね６や下ばね７の付勢力によってキャリア１が押圧されて移動し、所定位置に戻って保持される。
【００４４】
また、シャッター用の押釦をさらに押圧操作して撮影を行った際に、手振れが生じた場合には、これを別途設けたセンサ（図示せず）等によって機器の電子回路が検出し、電子回路から電圧が印加されて移動用コイル２６に電流が流れ、移動用コイル２６に前後または左右方向の力がはたらいて、移動用コイル２６及びこれが固着された駆動手段２０の駆動用ヨーク２３が、前後または左右方向のぶれた方向へ移動して、手振れ補正が行われる。
【００４５】
なお、この時、図３に示すように、移動用磁石２７によって周囲に例えば下方向への磁界Ｂ２が形成されている移動用コイル２６に、時計方向の電流Ｉ１が流れた場合には、移動用コイル２６に右方向の力Ｆ１がはたらいて駆動手段２０が右方向へ移動し、反時計方向の電流Ｉ２が流れた場合には、力Ｆ２がはたらいて駆動手段２０は左方向へ移動する。
【００４６】
つまり、図４において、右方の移動用コイル２６Ａに電流が流れた場合には、駆動手段２０は左右方向へ移動し、前方の移動用コイル２６Ｂに電流が流れた場合には、駆動手段２０は前後方向へ移動する。
【００４７】
すなわち、駆動用磁石４に対向した駆動用コイル２に電流を流してキャリア１を上下方向へ移動し、この中空部に装着されたレンズを上下動させてオートフォーカス動作を行うと共に、移動用磁石２７に対向した移動用コイル２６に電流を流し、駆動手段２０の駆動用ヨーク２３を前後または左右方向へ移動して、手振れ補正を行うように構成されている。
【００４８】
そして、この時、キャリア１外方に配置された移動用磁石２７の磁界Ｂ２が、上述したように内方ではなく、上下方向に形成されているため、外方の移動用磁石２７の磁力の影響を、内方の駆動用コイル２や駆動用磁石４が受けることのないようになっている。
【００４９】
つまり、キャリア１外方の移動用コイル２６と移動用磁石２７を上下方向に対向配置し、移動用磁石２７の磁界Ｂ２を上下方向に形成することによって、この磁力の影響を内方の駆動用コイル２や駆動用磁石４が受けることを防ぎ、中空部にレンズが装着されたキャリア１が、確実で安定した上下動動作を行えるように構成されている。
【００５０】
なお、以上の説明では、支持ピン１３によってケース２４と基台２５を、前後及び左右方向に移動可能に直接連結することで、構成部品数を少なくした構成について説明したが、図５の分解斜視図に示すように、背景技術の項で説明した構成と同様にスライダ１２を設け、このスライダ１２を介して駆動手段２０が基台２５に対して、前後及び左右方向に移動可能なように構成しても、本発明の実施は可能である。
【００５１】
すなわち、同図においては、支持ピン１３Ａがスライダ１２の支持孔１２Ａに挿入されると共に、支持ピン１３Ａ両端が基台２５の保持部２５Ａに係止されて、スライダ１２が基台２５上に前後方向に移動可能に載置されている。
【００５２】
そして、支持ピン１３Ｂが駆動手段２０のケース２４の円形の支持孔（図示せず）に挿入されると共に、この両端がスライダ１２の保持部１２Ｂに係止され、駆動手段２０がスライダ１２上に左右方向に移動可能に載置されることで、スライダ１２を介して駆動手段２０が基台２５に対して、前後及び左右方向に移動可能な構成となっている。
【００５３】
また、以上の説明では、キャリア１の外周に駆動用コイル２を巻回固着し、これに駆動用磁石４を対向配置して、駆動手段２０を形成した構成について説明したが、キャリア１の内周に駆動用コイル２を巻回固着し、これに駆動用磁石４を対向配置した構成や、あるいは、これらとは逆にキャリア１の側に駆動用磁石４を装着し、これに駆動用コイル２を対向配置した構成としても、本発明の実施は可能である。
【００５４】
このように本実施の形態によれば、キャリア１外方に配置された移動用コイル２６と移動用磁石２７を、上下方向に対向形成することによって、キャリア１外方の移動用磁石２７の磁界Ｂ２が上下方向に形成されているため、この磁力の影響を内方の駆動用コイル２や駆動用磁石４が受けることを防ぎ、中空部にレンズが装着されたキャリア１の、確実で安定した動作を行うことが可能なレンズアクチュエータを得ることができるものである。
【００５５】
（実施の形態２）
実施の形態２を用いて、本発明の特に請求項２記載の発明について説明する。
【００５６】
なお、実施の形態１の構成と同一構成の部分には同一符号を付して、詳細な説明を省略する。
【００５７】
図６は本発明の第２の実施の形態によるレンズアクチュエータの断面図、図７は同分解斜視図であり、同図において、キャリア１外周に駆動用コイル２が巻回固着されると共に、このキャリア１が駆動用ヨーク２３内に上下動可能に収納されていることや、複数の、例えば四つの駆動用磁石４が駆動用ヨーク２３の内側壁に装着され、駆動用コイル２と所定の間隙を空けて対向配置されると共に、スペーサ５が駆動用ヨーク２３の外周下面を覆っていることは実施の形態１の場合と同様である。
【００５８】
また、この四つの駆動用磁石４によって、駆動用コイル２の巻回方向に対して直交する、外方または内方への磁界が形成されていることや、駆動用ヨーク２３上面に固着された上ばね６と、ケース２４上面に固着された下ばね７が、各々やや撓んだ状態でキャリア１の上下面に弾接し、キャリア１が上下方向の所定位置に保持されて、駆動手段２０が形成されていることも実施の形態１の場合と同様である。
【００５９】
そして、ケース２４の左右方向に長孔となった支持孔２４Ａに挿入され、両端が基台２５の保持部２５Ａに係止された支持ピン１３によって、駆動手段２０が基台２５に対して、前後方向及び左右方向に移動可能なようにして、基台２５上に載置されていることや、複数の移動用コイル２６と移動用磁石２７が、上下方向に所定の間隙を空けて対向配置されていることも、実施の形態１の場合と同様であるが、複数の移動用磁石２７は前方及び右方の駆動用ヨーク２３外周下面に、複数の移動用コイル２６は基台２５上面に各々固着されている。
【００６０】
なお、図３に示した場合とは、移動用磁石２７と移動用コイル２６の上下位置が逆にはなるが、移動用磁石２７の磁界Ｂ２が上下方向に形成され、内方の駆動用コイル２や駆動用磁石４に影響を及ぼさないようになっていることは、実施の形態１の場合と同様である。
【００６１】
さらに、基台２５下面には鉄等の複数の移動用ヨーク２８が、移動用磁石２７や移動用コイル２６と所定の間隙を空けて固着され、これらの複数の移動用コイル２６や移動用磁石２７、移動用ヨーク２８や基台２５等によって移動手段３０が形成されると共に、この移動手段３０や駆動手段２０をカバー１６が覆い、駆動用ヨーク２３上面にはスペーサ２９が装着されて、レンズアクチュエータが構成されている。
【００６２】
つまり、本実施の形態においては、実施の形態１の場合とは逆に、複数の移動用コイル２６が基台２５上面に、これと上下方向に対向形成された複数の移動用磁石２７が、駆動用ヨーク２３下面に各々固着されると共に、基台２５下面には移動用磁石２７と所定の間隙を空けて、移動用ヨーク２８が固着されているため、この移動用磁石２７と移動用ヨーク２８の間には、移動用磁石２７の磁力によって常に吸引力が生じるようになっている。
【００６３】
すなわち、図６に示すように、移動用磁石２７と移動用ヨーク２８間の磁力によって、移動用磁石２７が固着された駆動用ヨーク２３やケース２４が、移動用ヨーク２８が固着された基台２５の方向に吸引されているため、支持孔２４Ａ下面と支持ピン１３下面の間には隙間ｔが生じているが、支持孔２４Ａ上面と支持ピン１３上面の間は隙間がなく密接した状態、つまりケース２４が基台２５に対し、上下方向にがたつきのない状態で保持されている。
【００６４】
そして、このように構成されたレンズアクチュエータが、キャリア１の中空部にレンズ（図示せず）が固着され、背面に撮像素子が配置されて、カメラや携帯電話等の電子機器に装着されると共に、駆動用コイル２と移動用コイル２６がリード線やコネクタ（図示せず）等を介して、機器の電子回路（図示せず）に接続される。
【００６５】
以上の構成において、例えばカメラのシャッター用の押釦（図示せず）を軽く押圧操作すると、実施の形態１の場合と同様に、電子回路から電圧が印加されて駆動用コイル２に電流が流れ、駆動用コイル２及びこれが巻回固着されたキャリア１が上または下方向へ移動して、オートフォーカス動作が行われ、キャリア１の中空部に装着されたレンズの焦点が調整される。
【００６６】
また、シャッター用の押釦をさらに押圧操作して撮影を行った際に、手振れが生じた場合には、これを別途設けたセンサ（図示せず）等によって機器の電子回路が検出し、電子回路から電圧が印加されて移動用コイル２６に電流が流れ、これによって実施の形態１の場合とは逆に、移動用磁石２７に前後または左右方向の力がはたらいて、移動用磁石２７及びこれが固着された駆動手段２０の駆動用ヨーク２３が、前後または左右方向のぶれた方向へ移動して、手振れ補正が行われる。
【００６７】
なお、この時、キャリア１外方の移動用コイル２６と移動用磁石２７が上下方向に対向配置され、移動用磁石２７の磁界Ｂ２が内方ではなく、上下方向に形成されているため、外方の移動用磁石２７の磁力の影響を、内方の駆動用コイル２や駆動用磁石４が受けることなく、中空部にレンズが装着されたキャリア１が、確実で安定した上下動動作を行えるようになっていることは、実施の形態１の場合と同様である。
【００６８】
さらに、本実施の形態においては、上述したように、移動用磁石２７と所定の間隙を空けて、基台２５下面に移動用ヨーク２８が固着され、この移動用磁石２７と移動用ヨーク２８の間の吸引力によって、ケース２４や駆動用ヨーク２３、すなわち駆動手段２０が基台２５に対し、上下方向にがたつきのない状態で保持されているため、キャリア１の前後左右方向への移動もがたつきがなく、確実に行われるように構成されている。
【００６９】
なお、電子回路からの移動用コイル２６への電圧印加は、上記のように支持孔２４Ａ上面と支持ピン１３上面が密接し、ケース２４と基台２５の間にがたつきのない状態の場合には、所定時間の間連続して電圧を印加するのではなく、間欠的にパルス状の電圧を印加することによって、キャリア１の前後左右方向への移動をより確実に行うことができる。
【００７０】
また、移動用磁石２７と移動用ヨーク２８の間の吸引力、すなわち移動用磁石２７の磁力を所定の大きさに設定することで、移動用コイル２６へ電圧を印加しない状態でも、移動用磁石２７と移動用ヨーク２８間の吸引力によって、ケース２４やキャリア１を所定位置に保持することができるため、例えば、手振れ補正が不要な状態でのキャリア１の中央位置への保持を、消費電力が０のままで行うことができる。
【００７１】
このように本実施の形態によれば、キャリア１外方に配置された移動用コイル２６と移動用磁石２７を、上下方向に対向形成することによって、キャリア１外方の移動用磁石２７の磁力の影響を、内方の駆動用コイル２や駆動用磁石４が受けることを防ぎ、中空部にレンズが装着されたキャリア１の、確実で安定した動作を行うことができると共に、移動用磁石２７に所定の間隙を空けて、移動用ヨーク２８を対向配置することによって、ケース２４や基台２５等の間のがたつきをなくし、キャリア１の前後左右方向への移動を確実に行うことが可能なレンズアクチュエータを得ることができるものである。
【産業上の利用可能性】
【００７２】
本発明によるレンズアクチュエータは、確実で安定した動作が可能なものが得られ、主にカメラや携帯電話等のレンズ動作用として有用である。
【符号の説明】
【００７３】
１  キャリア
２  駆動用コイル
４  駆動用磁石
５、２９  スペーサ
６  上ばね
７  下ばね
１２  スライダ
１２Ａ  支持孔
１３、１３Ａ、１３Ｂ  支持ピン
１６  カバー
２０  駆動手段
２３  駆動用ヨーク
２４  ケース
２４Ａ  支持孔
２５  基台
２５Ａ  保持部
２６、２６Ａ、２６Ｂ  移動用コイル
２７  移動用磁石
２８  移動用ヨーク
３０  移動手段
【図１】
2011141517.tif 000003
【図２】
2011141517.tif 000004
【図３】
2011141517.tif 000005
【図４】
2011141517.tif 000006
【図５】
2011141517.tif 000007
【図６】
2011141517.tif 000008
【図７】
2011141517.tif 000009
【図８】
2011141517.tif 000010
【図９】
2011141517.tif 000011
【図１０】
2011141517.tif 000012
【図１１】
2011141517.tif 000013